(57)【要約】【課題】本発明の目的は、スピーカーが過熱になることを自動的に防止することができるオーディオプレーヤー及びオーディオプレーヤーを有する電子装置を提供することである。【解決手段】本発明のオーディオプレーヤーは、順次に電気的に接続される読取ユニット、信号処理ユニット、保護ユニット及びスピーカーを備え、前記読取ユニットは、記憶媒体に格納されたオーディオ信号を読み取って前記信号処理ユニットに送信し、前記信号処理ユニットは、受信したオーディオ信号に対して処理してから前記保護ユニットに送信し、前記保護ユニットは、前記スピーカーの温度変化によってその内部抵抗を自動的に調節することにより、前記信号処理ユニットから前記スピーカーに送信するオーディオ信号の電流の大きさを調整する。本発明は、前記オーディオプレーヤーを有する電子装置も提供する。【選択図】図１
2012039605.tif 000002
【特許請求の範囲】
【請求項１】
順次に電気的に接続される読取ユニット、信号処理ユニット、保護ユニット及びスピーカーを備え、
前記読取ユニットは、記憶媒体に格納されたオーディオ信号を読み取って前記信号処理ユニットに送信し、
前記信号処理ユニットは、受信したオーディオ信号に対して処理してから前記保護ユニットに送信し、
前記保護ユニットは、前記スピーカーの温度変化によってその内部抵抗を自動的に調節することにより、前記信号処理ユニットから前記スピーカーに送信するオーディオ信号の電流の大きさを調整することを特徴とするオーディオプレーヤー。
【請求項２】
前記保護ユニットは、前記信号処理ユニットと前記スピーカーとの間に直列連結されるサーミスターを備え、前記サーミスターは、前記スピーカーの温度変化によってその抵抗の大きさを変化させ、前記信号処理ユニットから前記スピーカーに送信する電流の大きさを調整することを特徴とする請求項１に記載のオーディオプレーヤー。
【請求項３】
前記サーミスターは、正の温度係数サーミスターであり、その抵抗は温度の上昇にしたがって増大することを特徴とする請求項２に記載のオーディオプレーヤー。
【請求項４】
前記信号処理ユニットは、順次に電気的に接続されるデコーダー、カップリング回路及びパワーアンプリファイアを備え、
前記デコーダーは、前記読取ユニットから送信されるオーディオ信号をデコーディングしてから前記カップリング回路に送信し、
前記カップリング回路は、デコーディングされた前記オーディオ信号を前記パワーアンプリファイアに送信し、
前記パワーアンプリファイアは、受信した前記オーディオ信号に対して増幅処理してから、前記サーミスターを通して前記スピーカーに送信することを特徴とする請求項３に記載のオーディオプレーヤー。
【請求項５】
前記カップリング回路は、前記デコーダーと前記パワーアンプリファイアとの間に直列連結されるカップリングキャパシターを備えることを特徴とする請求項４に記載のオーディオプレーヤー。
【請求項６】
オーディオプレーヤーを備える電子装置であって、前記オーディオプレーヤーは、前記請求項１〜５のいずれか一項に記載のオーディオプレーヤーであることを特徴とする電子装置。
【発明の詳細な説明】
【技術分野】
【０００１】
本発明は、オーディオプレーヤー及びオーディオプレーヤーを有する電子装置に関するものである。
【背景技術】
【０００２】
ＭＰ３プレーヤー、ＣＤプレーヤー、ＶＣＤプレーヤー、ＤＶＤプレーヤーなどのオーディオプレーヤー及びオーディオプレーヤーを有する電子装置は、人々の日常生活に広く応用される。
【発明の概要】
【発明が解決しようとする課題】
【０００３】
しかし、オーディオプレーヤーを使用する際、そのボリュームを長時間も高いボリュームに設置すると、オーディオプレーヤーのスピーカーの温度が高くなりすぎて、音質が悪くなり、スピーカーが破損する可能性がある。従ってオーディオプレーヤーを有する電子装置の品質も悪くなり、ユーザーの製品の信頼性に対する要求を満たすことができない。
【０００４】
本発明の目的は、前記課題を解決し、スピーカーが過熱することを自動的に防止することができるオーディオプレーヤー及びオーディオプレーヤーを有する電子装置を提供することである。
【課題を解決するための手段】
【０００５】
本発明に係るオーディオプレーヤーは、順次に電気的に接続される読取ユニット、信号処理ユニット、保護ユニット及びスピーカーを備え、前記読取ユニットは、記憶媒体に格納されたオーディオ信号を読み取って前記信号処理ユニットに送信し、前記信号処理ユニットは、受信したオーディオ信号に対して処理してから前記保護ユニットに送信し、前記保護ユニットは、前記スピーカーの温度変化によってその内部抵抗を自動的に調節することにより、前記信号処理ユニットから前記スピーカーに送信するオーディオ信号の電流の大きさを調整する。
【０００６】
本発明に係る電子装置は、前記オーディオプレーヤーを備える。
【発明の効果】
【０００７】
本発明のオーディオプレーヤーは、信号処理ユニットとスピーカーとの間に保護ユニットを設置し、前記保護ユニットは前記スピーカーの温度変化によってその抵抗を自動的に調節するので、過熱によって前記スピーカーの寿命及び性能に悪影響を与えることを防止し、前記スピーカーを保護することができる。本発明の電子装置は、前記オーディオプレーヤーを有するので、製品の品質を確保することができる。
【図面の簡単な説明】
【０００８】
【図１】本発明の実施形態に係るオーディオプレーヤーの回路構造を示す図である。
【図２】図１に示すオーディオプレーヤーを有する電子装置を示す図である。
【発明を実施するための形態】
【０００９】
図１は、本発明の実施形態に係るオーディオプレーヤー１００の回路構造を示す図である。前記オーディオプレーヤー１００は、順次に電気的に接続される読取ユニット１２、信号処理ユニット１３、保護ユニット１８及びスピーカー２０を備える。前記読取ユニット１２は、外部の記憶媒体１０に格納されたオーディオ信号を読み取って前記信号処理ユニット１３に送信する。本実施形態において、前記記憶媒体１０は、光ディスクのような外部記録媒体である。前記信号処理ユニット１３は、受信したオーディオ信号をデコーディングし、且つ増幅されたオーディオ信号を前記保護ユニット１８に送信する。前記保護ユニット１８は、前記スピーカー２０の温度変化によってその内部抵抗を自動的に調節することにより、前記信号処理ユニット１３から前記スピーカー２０に送信するオーディオ信号の電流の大きさを調整して、前記スピーカー２０の過熱を防止する。前記記憶媒体１０に格納されたオーディオ信号は、一般的にデジタル信号である。
【００１０】
前記信号処理ユニット１３は、順次に電気的に接続されるデコーダー１４、カップリング回路１５及びパワーアンプリファイア１６を備える。前記デコーダー１４は、前記読取ユニット１２から送信されるオーディオ信号を受信して、受信した前記オーディオ信号をデコーディングして対応するアナログオーディオ信号を変換し、且つデコーディングされたオーディオ信号を前記カップリング回路１５に送信する。前記カップリング回路１５は、デコーディングされたオーディオ信号に対してＤＣ成分のブロッキング処理を行って、前記パワーアンプリファイア１６にオーディオ信号のＡＣ成分を送信する。前記パワーアンプリファイア１６は、受信したオーディオ信号に対して増幅処理して、増幅されたオーディオ信号を前記保護ユニット１８に送信する。
【００１１】
前記保護ユニット１８は、サーミスターＲを備える。前記サーミスターＲは、前記パワーアンプリファイア１６と前記スピーカー２０との間に直列連結される。前記サーミスターＲは、正の温度係数サーミスターであり、その抵抗は温度の上昇にしたがって増大する。前記サーミスターＲは、前記スピーカー２０の温度変化によってその抵抗の大きさを変化させ、前記パワーアンプリファイア１６から前記スピーカー２０に送信する電流の大きさを調整して、前記スピーカー２０の過熱を防止する。
【００１２】
前記カップリング回路１５は、カップリングキャパシターＣを備える。前記カップリングキャパシターＣは、前記デコーダー１４と前記パワーアンプリファイア１６との間に直列連結されて、前記デコーダー１４から送信されるオーディオ信号に対してＤＣ成分のブロッキング処理を行って、前記パワーアンプリファイア１６にオーディオ信号のＡＣ成分を送信する。
【００１３】
以下、前記オーディオプレーヤー１００の動作原理を説明する。
【００１４】
前記読取ユニット１２は、前記記憶媒体１０に格納されたデジタルオーディオ信号を読み取って前記デコーダー１４に送信する。前記デコーダー１４は、受信したデジタルオーディオ信号をデコーディングして、前記デジタルオーディオ信号を対応するアナログオーディオ信号を変換し、且つ前記アナログオーディオ信号を前記カップリング回路１５に送信する。前記カップリング回路１５は、受信した前記オーディオ信号に対してＤＣ成分のブロッキング処理を行って、前記パワーアンプリファイア１６にオーディオ信号のＡＣ成分を送信する。前記パワーアンプリファイア１６は、受信した前記オーディオ信号に対して増幅処理して、増幅されたオーディオ信号を前記サーミスターＲに送信する。前記サーミスターＲは前記スピーカー２０の温度をときどき検出し、前記スピーカー２０の温度の上昇にしたがって前記サーミスターＲの抵抗が増大する。もし前記スピーカー２０の温度がその寿命及び性能に悪影響を与える程度に至なければ、前記サーミスターＲの抵抗は低く見なすことができる。だから、前記パワーアンプリファイア１６から前記スピーカー２０に送信するオーディオ信号の電流の大きさは変化しなく、前記スピーカー２０は正常に作動する。しかし、ユーザーが前記オーディオプレーヤー１００を使用する際、そのボリュームを長時間も高いボリュームに設定すると、前記スピーカー２０の温度が高くなり、もし前記スピーカー２０の温度がその寿命及び性能に悪影響を与える程度に至ると、前記サーミスターＲの抵抗が大きくなって、前記パワーアンプリファイア１６から前記スピーカー２０に送信するオーディオ信号の電流の大きさが小さくなる。前記スピーカー２０は、受信したオーディオ信号に基づいて音声を放送する。
【００１５】
前記サーミスターＲの抵抗が大きければ、前記サーミスターＲが所在する回路を開回路と見なすことができ、従って前記スピーカー２０を保護する。前記スピーカー２０のボリュームが小さいか又は前記スピーカー２０が音声を放送しない場合、抵抗の大きさは非常に小さいものであると見なすことができる。
【００１６】
上記したように、前記オーディオプレーヤー１００において、前記信号処理ユニット１３と前記スピーカー２０との間に前記保護ユニット１８が設置され、前記保護ユニット１８は前記スピーカー２０の温度変化によってその抵抗を自動的に調節するので、過熱によって前記スピーカー２０の寿命及び性能に悪影響を与えることを防止することができ、前記スピーカー２０を保護する。
【００１７】
図２を参照すると、電子装置２００は、前記オーディオプレーヤー１００を有するので、製品の品質を確保することができる。
【００１８】
他の実施形態において、前記記憶媒体１０は、前記オーディオプレーヤー１００の内部に設置されるメモリーであることができ、即ち、前記オーディオプレーヤー１００はＭＰ３プレーヤー又はＭＰ４プレーヤーであることができる。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は以下の特許請求の範囲から決まる。
【符号の説明】
【００２０】
１０  記憶媒体
１２  読取ユニット
１３  信号処理ユニット
１４  デコーダー
１５  カップリング回路
１６  パワーアンプリファイア
１８  保護ユニット
２０  スピーカー
１００  オーディオプレーヤー
２００  電子装置
Ｃ  カップリングキャパシター
Ｒ  サーミスター
【図１】
2012039605.tif 000003
【図２】
2012039605.tif 000004